(57)【特許請求の範囲】
【請求項１】
小屋組より突出して設けられ、小屋裏に連通した内室を形成するルーバー体と；内室の上部を閉塞する屋根板と；ルーバー体の外側に配置され、ルーバー体との間に外室を形成する外壁体と；ルーバー体と外壁体の下部間に形成された下部開口と；屋根板の水下側端部と外壁体の上部間に形成された上部開口とからなり、建屋の屋根に沿って下部開口から上部開口に吹き上げる外部風によって内室と外室間に圧力差を生じさせ、外室側の負圧により内室の空気を外室に吸引して、上部開口より建屋外に排気する多排気量型換気口装置において、斜め上方向から吹き付ける雨滴が上部開口より外室に侵入するのを防止する遮蔽板を、上部開口の有効通風面積を減少させないか過度に減少させない範囲内において、外壁体の上部突出部と対向させて屋根板の上面側に突出して設けたことを特徴とする多排気量型換気口装置。
【請求項２】
屋根板の水下側端部とルーバー体の上羽との間に水切り板を架け渡したことを特徴とする請求項１に記載の多排気量型換気口装置。
【請求項３】
建屋内の熱源容量に応じて下部開口の有効通風面積を変更させる防風板を、ルーバー体の下羽の下方に設けたことを特徴とする請求項１または請求項２に記載の多排気量型換気口装置。
【発明の詳細な説明】
【０００１】
【発明が属する技術分野】
本発明は建屋の屋根上に設置される多排気量型の換気口装置に関するものである。
【０００２】
【従来の技術】
図３と図４に示したように従来の多排気量型換気口装置は、小屋組１より突出して設けられ、建屋の屋根裏２に連通した内室３を形成するルーバー体４と；内室３の上部を閉塞する屋根板５と；ルーバー体４の外側に配置され、ルーバー体４との間に外室６を形成する外壁体７と；ルーバー体４と外壁体７の下部間に形成された下部開口８と；屋根板５の水下側端部５ａと外壁体７の上部間に形成された上部開口９とで構成されている。
【０００３】
この換気口装置では、建屋内の高熱源によって暖められた空気は、小屋裏２に上昇して内室３に流れ込む。他方、建屋の屋根１０に吹き付けている水平方向の外部風は屋根１０によって斜め上向きに変向させられ、下部開口８から外室６に吹き込まれる。この外部風が下部開口８から上部開口９に向かって吹き上げられるとき、内室３と外室６間に圧力差が発生し、外室６側の負圧により内室３の空気は外室６に吸引され、外部風と一緒に上部開口９より建屋外に排気される。
【０００４】
しかしながら、このような構造の換気口装置では、例えば建屋内に十分な高熱源がない場合や発熱を急に中止してしまった場合には、建屋内の床面と小屋裏２間に十分な温度差が生じず、自然換気で排気しようとする空気の流れが低下または消失してしまい、強風の時には外室６に引き込んだ外部空気が外室６内で乱流となり、内室３から建屋内に逆流するという換気性能の低下の問題があった。
【０００５】
また、建屋が高層ビルの近傍に設置されているため、所謂ビル風として加速された風に乗って雨が斜め上方から吹き付ける場合、あるいは前線通過によって激しい風雨が斜め上方から吹き付ける場合等には、上部開口９から外室６内に侵入した雨滴が外壁体７の内面に当たってルーバー体４側に跳ね返り、２次的水滴として内室３より建屋内に落下するという防水性能上の問題もあった。雨滴と同様な移動形態を示す浮遊塵埃も同様に侵入する。
【０００６】
この従来装置では、屋根板５の水下側端部５ａとルーバー体４の上羽１１との間を連絡して雨滴を伝わせる手段がないため、屋根板５の上面に落ちた雨滴は水下側端部５ａから外室６の空間内に直接落下することになる。そして、落下途中の雨滴が外室６内の乱流によって外壁体７の内面や上羽１１に吹き付けられ、二次的水滴を発生して内室３内に落下するため、これも防水性能を低下させる原因となっている。
【０００７】
この雨滴や塵埃の侵入防止対策として、図５に示した住宅用の多排気量型換気口装置では、ルーバー体４の通気孔１２の開口寸法を越える長さの邪魔板１３を屋根板５の下面より垂直に設けることによって、外室６を上部開口９側の空間６ａと通気孔１２側の空間６ｂに仕切っている。
この換気口装置では、内室３内の空気は通気孔１２から前記空間６ｂに入り、邪魔板１３に沿って迂回しながら邪魔板１３の下端１３ａとルーバー体４の傾斜底面部４ａ間の狭い通路１４から前記空間６ａに入り込み、上部開口９から屋外に排出される。
【０００８】
邪魔板１３で区画された外室６の前記空間６ａは、外室３に吹き込まれた風が内室３に逆流するのを防止する緩衝室として、また、斜め上方から侵入してきた雨滴や塵埃が直接内室３に入り込まないように雨滴や塵埃を風から分離する分離室として働くため、この換気口装置は防水性能、防塵性能の点では改良されている。
しかしながら、換気性能の点では、前記のように配置された邪魔板１３によって空気抵抗が増え、有効通風面積が大幅に減少させられるため、多排気量型換気口装置としての利点が生かされないことになる。
【０００９】
このような住宅用の換気口装置では、小屋組の木造材（野地板、たる木等の屋根下地材）の腐食防止が優先されるため、設計方針は換気効率よりも防水性能の確保にやや傾斜しているが、工場等の生産・加工業用途の建物では腐食の問題はあまりなく、設備と製品の保護さえ可能ならば、建設コストの最小限化の要求が強い。そのため、換気性能を減退させずに防水性能・防塵性能を向上させることが要望されている。
【００１０】
【発明が解決しようとする課題】
したがって本発明の目的は、多排気量型換気口装置としての本来の換気性能を減殺することなく、台風等の非常時を除いて、あらゆる方向からの風に対しても雨滴や塵埃の侵入を的確に防止できる換気口装置を提供することである。
【００１１】
【課題を解決するための手段】
添付図面中の参照符号を用いて説明すると本発明の換気口装置の基本構造は、小屋組２１より突出して設けられ、小屋裏２２に連通した内室２３を形成するルーバー体２４と；内室２３の上部を閉塞する屋根板２５と；ルーバー体２４の外側に配置され、ルーバー体２４との間に外室２６を形成する外壁体２７と；ルーバー体２４と外壁体２７の下部間に形成された下部開口２８と；屋根板２５の水下側端部２５ａと外壁体２７の上部間に形成された上部開口２９とからなり、建屋の屋根３０に沿って下部開口２８から上部開口２９に吹き上げる外部風によって内室２３と外室２６間に圧力差を生じさせ、外室２６側の負圧により内室２３の空気を外室２６に吸引して、上部開口２９より建屋外に排気する多排気量方式である。
【００１２】
請求項１の発明の換気口装置では上記構成に加えて、斜め上方向から吹き付ける雨滴が上部開口２９より外室２６に侵入するのを防止する遮蔽板３１を、上部開口２９の有効通風面積を減少させないか過度に減少させない範囲内において、外壁体２７の上部突出部２７ａと対向させて屋根板２５の上面側に突出して設ける。
【００１３】
このように付加された遮蔽板３１によって、斜め上方から吹き付ける風に乗った雨滴は屋根板２５の上面側に跳ね返されてしまい、上部開口２９を通過して外室２６に侵入することができない。
運動エネルギーの大きい斜め上方からの雨滴が外壁体２７の内面にダイレクトに当たって二次的水滴が生じ、内室２３側に跳ね返って小屋裏２に落下することがないので、防水性能が向上する。斜め上方からの風に乗った塵埃についても同様に外室２６への侵入が防止される。
【００１４】
請求項２の発明の換気口装置では上記構成に加えて、屋根板２５の水下側端部２５ａとルーバー体２４の上羽３２との間に水切り板３３を架け渡す。
【００１５】
そのため、屋根板２５の上面に落ちた雨滴は水下側端部２５ａから水切り板３３の外面を伝わって上羽３２へと導かれる。
雨滴が水下側端部２５ａから外室２６の空間内に落下することはないので、雨滴が外室２６内の乱流によって外壁体２７の内面や上羽３２に当たって二次的水滴を発生することがない。
【００１６】
請求項３の発明の換気口装置では上記構成に加えて、建屋内の熱源容量に応じて下部開口２８の有効開口面積を変更させる防風板３４を、ルーバー体２４の下羽３５の下方に設ける。
【００１７】
この防風板３４による下部開口２８の開度調整を適正に行うことによって、外室２６への空気の引き込み量を調整し、外室２６内の空気の乱れによる内室２３への逆流を防止する。これによって屋内から屋外への排気の安定した流れを確実に作り出すことができる。
【００１８】
【発明の実施形態】
遮蔽板３１を設ける部位としては、通常は屋根板２５の水下側端部２５ａが選定されるが、遮蔽板３１の高さと傾斜角度によっては、屋根板２５の水上側端部２５ｂ側にずらして設けることもできる。遮蔽板３１の配置形態としては鉛直線に沿って立てて設けたり、鉛直線に対して傾斜させて設けることもできる。
【００１９】
下部開口２８の閉塞率を現場設置後に調整できるように防風板３４に開度調整機構を付設することができる。また、建屋内外の温度差をセンサーで検出し、電動ジャッキ等で防風板３４の開度位置を自動制御することもできる。これらの手段を講じることによって、建屋内の設備の変更や操業状態の変化にも柔軟に対応して、より確実に高い防水・防塵性能を発揮させることができる。
【００２０】
【実施例】
図１と図２に示した実施例では、鉛直に起立した左右一対のルーバー体２４，２４は上下の梁部材３８によって結合され、ブレース部材３９によって補強されている。ルーバー体２４は平板がの上羽３２と断面三角形の下羽３５の間に平板形の中間羽４０を備えている。左右一対の屋根板２５は山形に傾斜配置してルーバー体２４，２４に固着されている。鉛直に配置された左右一対の外壁体２７，２７は、上部を支持アーム４１，４１によって屋根板２５，２５に連結され、下部を支持アーム４２，４２によってルーバー体２４，２４の下部に連結されている。この換気口装置の内室２３と外室２６の前後端部は端面板４３によって閉塞される。
【００２１】
右斜め上方からの雨滴３６ｂに対処するために外壁体２７の上部突出部２７ａは内向き即ち左向きに傾斜させて形成されている。これに対して、遮蔽板３１は左斜め上方からの雨滴３６ａに対処するために外向き即ち右側に傾斜させて配置されている。
遮蔽板３１には上部開口２９からの空気の流れを円滑化する誘導板３７が添設されており、この誘導板３７は遮蔽板３１と合体して逆Ｖ字形をなし、遮蔽板３１の風圧に対する補強部材ともなっている。
【００２２】
真上方向からの雨滴３６ｃは外壁２７の上部突出部２７ａと遮蔽板３１のいずれによっても捕捉されず、上部開口２９をそのまま通過して外室２６に侵入するが、真上からの雨滴は風に吹き付けられるものでなく、自重で落下するものであるから、運動エネルギーは小さい。そのため、雨滴３６ｃは外壁体２７の内面に当たっても二次的水滴を発生させることがなく、外壁体２７の内向きに傾斜した下部２７ｂの内面を伝わって下部開口２８から排出される。塵埃についても同様である。
【００２３】
外壁体２７の下端部には前後一対のガイド枠部材４４が固着されており、防風板３４の前後端部はガイド枠部材４４に嵌め込まれている。防風板３４は電動ジャッキ等の適当な駆動手段によってガイド枠部材４４に沿って駆動され、下部開口２８の開度調整を行なう。
実験の結果によれば、下部開口から雨水や塵埃が落下するのに必要最小限の隙間を確保して後の開口をほとんど閉塞することによって防水性能を高めても、排気能力の低下は最大で３割程度であることが確認されている。
【００２４】
【発明の効果】
以上のように請求項１の発明の換気口装置では、斜め上方向からの雨滴や塵埃に対する遮蔽板３１を、上部開口２９の有効通風面積を減少させないか過度に減少させない範囲内において屋根板２５の上面側に突出して設けたので、邪魔板を外室内部に設けた前記の従来装置と比べて空気抵抗の増大がほとんどなく、良好な防水・防塵性能を確保しながら、多排気量型としての本来の換気性能をあまり減じることなく、高いレベルに維持することができる。
【００２５】
請求項２の発明の換気口装置では、屋根板２５の水下側端部２５ａとルーバー体２４の上羽３２との間を水切り板３３で連絡させたので、水下側端部２５ａからの雨滴が外室２６内に落下して二次的水滴を発生させることがなく、防水性能が更に向上する。
【００２６】
請求項３の発明の換気口装置では、下部開口２８の有効通風面積を変更させる防風板３４をルーバー体２４の下羽３５の下方に設けたので、建屋内の熱源容量や設備の操業状態等に応じて空気の引き込み量を最適に調整し、外室２６内の空気の乱れによる内室２３への逆流を防止することができる。
【図面の簡単な説明】
【図１】  本発明の一実施例に係る多排気量型換気口装置の設置状態の斜視図であり、図示の便宜上前後の端面板は省略してある。
【図２】  図１に示した換気口装置の半截縦断面図である。
【図３】  従来の多排気量型換気口装置の設置状態の斜視図であり、図示の便宜上前後の端面板は省略してある。
【図４】  図３に示した換気口装置の半截縦断面図である。
【図５】  別の従来の多排気量型換気口装置の縦断面図である。
【符号の説明】
２１  小屋組
２２  小屋裏
２３  内室
２４  ルーバー体
２５  内室の屋根板
２６  外室
２７  外壁体
２８  下部開口
２９  上部開口
３０  建屋の屋根
３１  遮蔽板
３２  ルーバー体の上羽
３３  水切り板
３４  防風板
３５  ルーバー体の下羽
３６  雨滴
３７  誘導板
３８  梁部材
３９  ブレース部材
４０  ルーバー体の中間羽
４１  支持アーム
４２  支持アーム
４３  端面板
４４  ガイド部材
【図１】
0003662069.tif 000002
【図２】
0003662069.tif 000003
【図３】
0003662069.tif 000004
【図４】
0003662069.tif 000005
【図５】
0003662069.tif 000006